(57)【要約】【課題】シリコン製でありながら、液体または流動体をうまく掬いあげることが可能な掬い具を提供する。【解決手段】掬い具(100)は、把手(130)と、把手の一端に形成された凹状部分(140)と、を有する。掬い具は、硬質材料からなる芯材(110)と、芯材の周囲に形成されたシリコンカバー(120)と、からなり、芯材は、把手と、凹状部分のうち少なくとも最上面の外縁部分とに組み込まれており、芯材には、凹状部分の底部に対応する領域において、開口部(113)が形成されており、シリコンカバーには、芯材の開口部に重なる領域において小孔(150)が形成されている。【選択図】図１
0003157649.tif 000002
【実用新案登録請求の範囲】
【請求項１】
把手と、前記把手の一端に形成された縦断面が凹状の形状をなしている凹状部分と、からなる掬い具であって、
前記掬い具は、硬質材料からなる芯材と、前記芯材の周囲に形成されたシリコンカバーと、からなり、
前記芯材は、前記把手と、前記凹状部分のうち少なくとも最上面の外縁部分とに組み込まれており、
前記芯材には、前記凹状部分の底部に対応する領域において、少なくとも一つの開口部が形成されており、
前記シリコンカバーには、前記芯材の前記開口部に重なる領域において、少なくとも一つの孔が形成されている掬い具。
【請求項２】
前記芯材は、硬質樹脂、金属及び金属ワイヤーの何れか一つからなるものであることを特徴とする請求項１に記載の掬い具。
【考案の詳細な説明】
【技術分野】
【０００１】
本考案はシリコン製のお玉その他の掬い具に関する。
【背景技術】
【０００２】
ヘラ、長尺箸、トング、フライ返しなどの料理時に使用される調理道具は、従来は、金属製のものが大半であったが、これら金属製の調理道具が鍋や食器に触れたりすると、鍋や食器を傷つけるおそれがあるため、最近では、金属よりも軟質の樹脂製の調理道具が多数提案されている。
【０００３】
また、最近では、軟質の素材としてシリコンが注目を集めており、シリコン製の調理道具も開発の対象となっている。
【考案の開示】
【考案が解決しようとする課題】
【０００４】
しかしながら、シリコンを単独で材料として使用する場合、シリコンは柔らかすぎて、調理道具としての機能を発揮できないことが多い。特に、液体状または流動体状の対象物を掬いあげる調理道具をシリコンで形成する場合、掬いあげる機能を発揮すべき部分が柔らかすぎると、対象物をうまく掬いあげることができない。
【０００５】
本考案はこのような問題点に鑑みてなされたものであり、シリコン製でありながら、液体状または流動体状の対象物をうまく掬いあげることが可能な調理道具、特に、通常、お玉と呼ばれる掬い具を提供することを目的とする。
【課題を解決するための手段】
【０００６】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００７】
上記の目的を達成するため、本考案は、把手（１３０）と、前記把手（１３０）の一端に形成された縦断面が凹状の形状をなしている凹状部分（１４０）と、からなる掬い具（１００）であって、前記掬い具（１００）は、硬質材料からなる芯材（１１０）と、前記芯材（１１０）の周囲に形成されたシリコンカバー（１２０）と、からなり、前記芯材（１１０）は、前記把手（１３０）と、前記凹状部分（１４０）のうち少なくとも最上面の外縁部分とに組み込まれており、前記芯材（１１０）には、前記凹状部分（１４０）の底部に対応する領域において、少なくとも一つの開口部（１１３）が形成されており、前記シリコンカバー（１２０）には、前記芯材（１１０）の前記開口部（１１３）に重なる領域において、少なくとも一つの孔（１５０）が形成されている掬い具（１００）を提供する。
【０００８】
前記芯材（１１０）は、例えば、硬質樹脂、金属または金属ワイヤーからなる。
【考案の効果】
【０００９】
本考案に係る掬い具においては、芯材は、把手と、凹状部分の少なくとも最上面の外縁部分とに組み込まれている。このように把手の内部には芯材が組み込まれているため、ユーザーが把手を持った場合、把手がひしゃげることはなく、把手を持つことによって、掬い具の全体を支持することができる。また、凹状部分には、少なくとも最上面の外縁部分に芯材が組み込まれているため、凹状部分の中に液体または流動体を掬い入れた場合、凹状部分の最上面の外形以外の部分（すなわち、芯材が組み込まれていない部分）は変形する可能性があるが、凹状部分の最上面の外形そのものは変形しない。このため、凹状部分により確実に液体または流動体を掬い上げることができる。
【００１０】
さらに、本考案に係る掬い具の全周囲は軟質のシリコンカバーで覆われているため、掬い具が鍋その他の金属製調理道具と接触したとしても、それらの調理道具に傷をつけるおそれがない。
【図面の簡単な説明】
【００１１】
【図１】図１（Ａ）は芯材を上方から見た場合の平面図、図１（Ｂ）は図１（Ａ）の１Ｂ−１Ｂ線における縦断面図、図１（Ｃ）は本考案の第一の実施形態に係る掬い具を上方から見た場合の平面図、図１（Ｄ）は図１（Ｃ）の１Ｄ−１Ｄ線における縦断面図である。
【図２】複数の開口部を形成した芯材の一例を示す平面図である。
【考案を実施するための最良の形態】
【００１２】
（第一の実施形態）
本考案の第一の実施形態に係る掬い具１００は、硬質材料からなる芯材１１０と、芯材１１０の全周囲に形成されたシリコンカバー１２０と、から構成されている。
【００１３】
図１（Ａ）は芯材１００を上方から見た場合の平面図、図１（Ｂ）は図１（Ａ）の１Ｂ−１Ｂ線における縦断面図である。また、図１（Ｃ）は本実施形態に係る掬い具１００を上方から見た場合の平面図、図１（Ｄ）は図１（Ｃ）の１Ｄ−１Ｄ線における縦断面図である。
【００１４】
図１（Ｃ）に示すように、本実施形態に係る掬い具１００は、長尺状の把手１３０と、把手１３０の一端に形成された縦断面が凹状の形状（すなわち、下に向かって凹んでいる形状）をなしている凹状部分１４０と、を備えている。
【００１５】
図１（Ａ）に示すように、芯材１１０は、掬い具１００の把手１３０に対応する第一部分１１１と、掬い具１００の凹状部分１４０に対応する第二部分１１２と、から構成されている。
【００１６】
本実施形態に係る掬い具１００においては、芯材１１０（すなわち、第一部分１１１及び第二部分１１２）はステンレススティール製である。
【００１７】
第一部分１１１は一方向に延びる長尺の平板からなり、この第一部分１１１の全周囲にシリコンカバー１２０が被覆されることにより、把手１３０が形成される。
【００１８】
第二部分１１２は、上方から見た形状としては長円形に近い形状をなしており、また、図１（Ｂ）に示すように、予め定められた深さを有する容器状の凹部形状を形成している。
【００１９】
第二部分１１２の中央にはほぼ円形の開口部１１３が形成されている。具体的には、開口部１１３は第二部分１１２の底部に形成されており、開口部１１３の外縁に沿って側壁部１１４が形成され、この側壁部１１４により凹部形状が形成されている。この第二部分１１２の全周囲にシリコンカバー１２０が被覆されることにより、凹状部分１４０が形成される。
【００２０】
図１（Ｃ）及び図１（Ｄ）に示すように、第二部分１１２の周囲に被覆されているシリコンカバー１２０には、開口部１１３と重なり合う領域において、複数の小孔１５０が形成されている。
【００２１】
以上のような構造を有する本実施形態に係る掬い具１００は以下のような機能を発揮する。
【００２２】
上記のように、本実施形態に係る掬い具１００においては、芯材１１０は、把手１３０と、凹状部分１４０の外縁部分（より具体的には、凹状部分１４０の側壁部分）とに組み込まれている。
【００２３】
このように把手１３０の内部には芯材１１０が組み込まれているため、ユーザーが把手１３０を持った場合、把手１３０がひしゃげることはなく、把手１３０を持つことによって、掬い具１００の全体を支持することができる。
【００２４】
また、凹状部分１４０には、その外縁部分に芯材１１０が組み込まれているため、凹状部分１４０の中に液体または流動体を掬い入れた場合、凹状部分１４０の外形以外の部分（すなわち、芯材１１０が組み込まれていない部分）は変形する可能性があるが、凹状部分１４０の外形そのものは変形しない。このため、凹状部分１４０により確実に液体または流動体を掬い上げることができる。
【００２５】
さらに、本実施形態に係る掬い具１００の全周囲は軟質のシリコンカバー１２０で覆われているため、掬い具１００が鍋その他の金属製調理道具と接触したとしても、それらの調理道具に傷をつけるおそれがない。
【００２６】
なお、本実施形態に係る掬い具１００は上記の構造に限定されるものではなく、種々の改変が可能である。
【００２７】
例えば、本実施形態に係る掬い具１００においては、芯材１１０はステンレススティール製であるが、芯材１１０の材質はステンレススティールには限定されない。他の金属を用いることも可能である。あるいは、金属に代えて、硬質樹脂を用いることもできる。また、金属を用いる場合、本実施形態に係る掬い具１００のように、芯材１１０を単体としての金属成形品から構成することに代えて、複数個の金属線（金属ワイヤー）を並べて配置することにより、芯材１１０とすることも可能である。複数の金属線を用いる場合には、それらの金属線を等間隔に配置してもよく、あるいは、隣り合う金属線が相互に接触するように各金属線を並べても良い。
【００２８】
また、本実施形態に係る掬い具１００においては、凹状部分１４０における芯材１１０は開口部１１３に対応する領域以外の領域を覆うように形成されているが、例えば、凹状部分１４０の最上面の外縁部分のみに対応して形成することも可能である。このように、芯材１１０が少なくとも凹状部分１４０の最上面の外縁部分に形成されていれば、凹状部分１４０は凹状の形状を維持することが可能である。
【００２９】
また、本実施形態に係る掬い具１００においては、芯材１１０の第二部分１１２において一つの開口部１１３が形成されているが、開口部１１３の個数は１個には限定されない。必要に応じて、複数個の開口部１１３を形成することが可能である。
【００３０】
図２は、複数の開口部１１３を形成した芯材１１０の一例を示す平面図である。
【００３１】
図２に示すように、例えば、中央の開口部１１３ａの周囲に等円周角に６個の開口部１１３ｂを形成することができる。この場合、シリコンカバー１２０に形成される小孔１５０は開口部１１３ａ及び開口部１１３ｂと重なり合うように形成される。
【００３２】
また、シリコンカバー１２０に形成される小孔１５０の個数も、必要に応じて、任意の個数を選択することができる。
【００３３】
なお、本実施形態に係る掬い具１００は、例えば、孔開きお玉や孔開きスプーンなどの調理道具として具現化される。
【符号の説明】
【００３４】
１００  本考案の第一の実施形態に係る掬い具
１１０  芯材
１２０  シリコンカバー
１１１  芯材の第一部分
１１２  芯材の第二部分
１１３  開口部
１１３ａ、１１３ｂ  開口部
１１４  側壁部
１３０  把手
１４０  凹状部分
１５０  小孔
【図１】
0003157649.tif 000003
【図２】
0003157649.tif 000004